(57)【要約】【課題】この考案は、塗り絵用素版又は塗り絵版を得ることを目的としたものである。【解決手段】この考案は、ベース板の表面に層着した粘土層に立体表示部を有し、該立体表示部の各区切り毎に、仕切り突条を設けたことを特徴とする立体塗り絵用素版により目的を達成した。【選択図】図１
0003125672.tif 000002
【実用新案登録請求の範囲】
【請求項１】
ベース板の表面に層着した粘土層に立体表示部を有し、該立体表示部の各区切り毎に、仕切り突条を設けたことを特徴とする立体塗り絵用素版。
【請求項２】
ベニヤ板の上下面に化粧板を張り合わせたベース板の表面に、木微粉を主材とした粘土層が設けてあり、該粘土層に立体表示部を設け、該立体表示部の各区切り毎に、仕切り突条を設けたことを特徴とする立体塗り絵用素版。
【請求項３】
ベース板の表面に層着した粘土層に型版を加圧当接して設けた立体表示部を有し、該立体表示部の各区切り毎に、立体の低面から０．５ｍｍ以上突出した仕切り突条を設けたことを特徴とする立体塗り絵用素版。
【請求項４】
請求項１記載の素版の低面に彩色し、仕切り突条の頂面に仕切り線の彩色を施したことを特徴とする立体塗り絵版。
【請求項５】
請求項２又は３記載の素版の低面に彩色し、仕切り突条の頂面に仕切り線の彩色を施したことを特徴とする立体塗り絵版。
【考案の詳細な説明】
【技術分野】
【０００１】
この考案は、粘土層に立体型を当接加圧してなる立体図形模様を有する立体塗り絵用素版及びこれに彩色した立体塗り絵版に関する。
【背景技術】
【０００２】
従来粘土層に模様型を押しつけて立体模様を作ったり、木版に彫刻して立体的形状模様の装飾版などを作ることが知られていた。
【０００３】
また版画に彩色すること、又は形状模様の印刷物に彩色することは広く知られている。
【０００４】
また型に粘土を押しつけて造形するクレイアート用具も知られていた。
【特許文献１】特開２００１−１６３０００
【特許文献２】実開平７−１４６１
【特許文献３】特許第１２２４４４４号公報
【考案の開示】
【考案が解決しようとする課題】
【０００５】
前記塗り絵は、紙面に印刷された図形に彩色するので、平面であり、かつ色彩等の仕切り線は印刷などで予め画かれていた。そこで上手に彩色しないと色彩が仕切り線外へはみ出したり、或いは仕切り線に接触するまで彩色しない場合があるなどの問題点があった。
【０００６】
またクレイアートは、立体的形状模様を表わすけれども、彩色は殆どなく、彩色する場合においても仕切り線が不明瞭になるおそれがあるなどの問題点があった（特許文献２）。
【０００７】
前記において、仕切り線が印刷してない場合には塗り絵をする者が仕切り線を入れていたが、太さの不統一があるのみならず、仕切り線を上手に設けるには相当高度の技術がないと、同一太さで、正確に書くことが困難であった。また仕切り線が不十分の為に絵全体の価値を低下させるおそれもあった。
【課題を解決するための手段】
【０００８】
この考案は、立体図形又は模様を成型する際に、各色彩の境界に画面より突出した仕切り突条を設け、この突条の上面に彩色することにより、彩色不良が皆無となり、形状模様を明確化することに成功したのである。
【０００９】
即ちこの考案は、ベース板の表面に層着した粘土層に立体表示部を有し、該立体表示部の各区切り毎に、仕切り突条を設けたことを特徴とする立体塗り絵用素版であり、ベニヤ板の上下面に化粧板を張り合わせたベース板の表面に、木微粉を主材とした粘土層が設けてあり、該粘土層に立体表示部を設け、該立体表示部の各区切り毎に、仕切り突条を設けたことを特徴とする立体塗り絵用素版であり、ベース板の表面に層着した粘土層に型版を加圧当接して設けた立体表示部を有し、該立体表示部の各区切り毎に、立体の低面から０．５ｍｍ以上突出した仕切り突条を設けたことを特徴とする立体塗り絵用素版である。
【００１０】
また他の考案は、請求項１記載の素版の低面に彩色し、仕切り突条の頂面に仕切り線の彩色を施したことを特徴とする立体塗り絵版であり、請求項２又は３記載の素版の低面に彩色し、仕切り突条の頂面に仕切り線の彩色を施したことを特徴とする立体塗り絵版である。
【００１１】
前記における粘土層は、木微粉に水と、接着剤を混練した粘土状物に限らず、地中から採取した粘土、又はこれに他の物（例えばセメント、石灰その他）を少量宛加入して、性質を改善した粘土を用いることもある。
【００１２】
要は、粘土状物であって、軟質時に型成形でき、乾燥硬化して彩色できるならば、何れも使用することができる。
【００１３】
前記のように、この考案によれば、彩色部と、他部又は彩色相互の間に画面より高い仕切り突条を設けたので、彩色の失敗もなく、予め定めた仕切り突条の彩色をすることができる。
【００１４】
前記仕切り突条の彩色は、該突条の頂面に所定の彩色をするもので、単に彩色平面を水平移動し、又は彩色ローラを転動させれば、容易に目的を達成できる。手動的には、指先に色材をつけて、なぜることにより彩色できる。また凹面の彩色は筆などで絵の具を塗れば、突条からはみ出ることなく彩色できる。
【考案の効果】
【００１５】
この考案においては、彩色部を凹入させ、仕切り線を高くしたので、彩色時に隣接部へ色料がはみ出るおそれがないなどの効果がある。
【００１６】
またこの考案は、仕切り突条を高くしたので、高低差を有する色彩模様を明確に保持し得る効果がある。
【００１７】
この考案によれば、仕切り突条の頂面に彩色すれば目的を達成し得るので、その幅と彩色を一定条件のもとに行い、技術的安定性を確保し得る効果がある。
【考案を実施するための最良の形態】
【００１８】
この考案は、ベース板の表面に木微粉と、水と接着剤の混合物で粘土層を設け、該粘土層に立体型を当接加圧して、前記表面に立体的図形、模様を生成する。
【００１９】
次に前記立体的図形模様の凹部へ色彩を彩色した後、仕切り線の頂部へ、仕切り線の色を付着させ、仕切り線を正確に彩色する。前記により、立体的形状、模様が一層目立つと共に、彩色は凹入面へ施されることになるので、他にはみ出るような彩色不良を生じるおそれなく、過不足なく定められた色を正確に施すことができる。
【実施例１】
【００２０】
厚さ０．５ｍｍ程度の化粧板１の上面へ厚さ４〜６ｍｍ程度のベニヤ板２と、化粧板１ａを順次層着してベース板４とし、該ベニヤ板２の上面へ、木微粉を主材とした硬化性の粘土を塗布し、厚さ１．０ｍｍ程度の粘土層３を層着して素板とする。前記粘土層３が硬化しない間に、型版１４を重ね、矢示９のように加圧して、型版１４の表面に設けた凹凸図形模様を転写すれば、この考案の凹凸図形模様６付き立体塗り絵用素版５ができる。
【００２１】
前記実施例は、粘土層３に型版１４を当接したが、模様ローラ８を矢示１１のように転動させると共に、塗り絵用素版５を矢示１２のように移動して成形することもできる。図中１３はコンベアである。前記図形、模様には、区切り毎に仕切り突条６ａが設けてある。前記模様ローラ８は、ローラ８ａ上に模様版８ｂが設けてある。
【００２２】
前記は１枚の素板から、１枚の塗り絵用素版を作ることを説明したが、長尺の素板から長尺の塗り絵用素版を作り、これを分断して所定の大きさの塗り絵用素版５とすることもできる。
【実施例２】
【００２３】
実施例１により製造した塗り絵用素版５の表面凹入面６ｂへ、着色層７を夫々設けると共に、仕切り突条６ａの頂面へも着色層７ａを設けて、この考案の塗り絵版１０ができる。前記仕切り突条６ａは、凹入面より０．５ｍｍ〜１．５ｍｍ突出し、頂面幅は０．５ｍｍ〜１ｍｍが普通である。
【００２４】
前記着色すべき凹入面に彩色するので、着色料が仕切り突条６ａを越えて隣接域へ移るおそれはない。
【００２５】
また仕切り突条６ａは、凹入面６ｂ上より突出しているので、着色時に彩色の乱れを生じるおそれはない。
【００２６】
前記によればどのように彩色しても乱れを生じるおそれなく、立派な作品が約束される。
【図面の簡単な説明】
【００２７】
【図１】（ａ）この考案の塗り絵用素版の実施例の平面図、（ｂ）同じく一部を省略した断面図、（ｃ）同じく塗り絵版の一部断面拡大図。
【図２】（ａ）同じく型押しの説明図、（ｂ）同じく模様付き版の一部断面図、（ｃ）同じく模様ローラの説明図。
【符号の説明】
【００２８】
１、１ａ  化粧板
２  ベニヤ板
３  粘土層
４  ベース板
５  塗り絵用素版
６  図形、模様
７  着色層
８  模様ローラ
【図１】
0003125672.tif 000003
【図２】
0003125672.tif 000004